(57)【要約】      （修正有）【課題】収納が容易なクリスマスツリー用装飾装置を提供する。【解決手段】装飾装置１は、支持部２と、支持部２に一体的に固定される係合部３と、支持部２に支持される装飾本体１０とを備えている。装飾本体１０は、複数の装飾部１１ａ〜１１ｄを有しており、各装飾部１１ａ〜１１ｄは、保持部２０によりそれぞれ保持され、保持部２０は、連結部３０に連結されている。装飾本体１０は、上面視において、半円状を呈する装飾品が飾られた飾り部１２を有している。各装飾部１１ａ〜１１ｄは、独立して形成されており、飾り付ける場合は、連結部３０が伸びて装飾装置１の頂部から底部に向かって連続的に繋がるように配置され、収納する場合は、各装飾部１１ａ〜１１ｄが重なるように収納され、連結部３０が収まる。【選択図】図２
0003221440.tif 000002
【実用新案登録請求の範囲】
【請求項１】
支持部と、
前記支持部に固定される係合部と、
前記支持部に支持される装飾本体と、を備え、
前記装飾本体は、複数の装飾部を有し、
前記装飾部は、前記装飾部を構成する装飾部品を取り付ける保持部に保持され、少なくとも一つの前記保持部は、一端が前記支持部に固定される連結部と連結され、
前記装飾本体は、上面視において半円状を呈する飾り部を有し、
前記装飾本体を飾り付けする場合は、前記連結部が伸びて前記各装飾部が連続的に繋がるように配置され、収納する場合は、前記各装飾部が重なるように配置され、前記連結部が収まる、
ことを特徴とする装飾装置。
【請求項２】
前記装飾本体は、前記飾り部と対向した位置にあり平坦状を呈する非飾り部をさらに有することを特徴とする請求項１に記載の装飾装置。
【請求項３】
前記連結部は、飾り付けの場合、前記各保持部を支えるように連結する少なくとも紐であることを特徴とする請求項１または２に記載の装飾装置。
【請求項４】
前記保持部の外径は、前記支持部から離れるに従って大きくなることを特徴とする請求項１〜３の何れか１項に記載の装飾装置。
【請求項５】
前記保持部の外径は、前記支持部からより離れて隣接する保持部の内径よりも小さいことを特徴とする請求項４に記載の装飾装置。
【請求項６】
前記装飾部の外径は、前記支持部から離れるに従って大きくなることを特徴とする請求項４に記載の装飾装置。
【請求項７】
前記装飾部は、変形自在であることを特徴とする請求項１〜６の何れか１項に記載の装飾装置。
【請求項８】
クリスマスツリーであることを特徴とする請求項１〜７の何れか１項に記載の装飾装置。
【考案の詳細な説明】
【技術分野】
【０００１】
本考案は、装飾装置に関し、特にクリスマスツリー用装飾装置に関する。
【背景技術】
【０００２】
クリスマスツリーなどの装飾装置が知られている（特許文献１）。
【０００３】
特許文献１は、連続的な倍率でそれぞれ異なる形状の略相似形状に形成されるとともに、それぞれに光の透過が可能な透光部を有している複数の積層部材と、上記積層部材を多重に積層することによって全体としての外形が略錐体形になされる本体と、上記本体内部に配設されて光の照射が可能になされた光源体と、を有する装飾装置であり、積層された各上記積層部材を別個に分離することができ、上記本体の高さが高いために収納が困難で収納場所も限定されるとともに広い収納スペースが必要となる課題を解消することができることが開示されている。
【先行技術文献】
【特許文献】
【０００４】
【特許文献１】特開２００２−１９２８９７号公報
【考案の概要】
【考案が解決しようとする課題】
【０００５】
特許文献１の装飾装置は、クリスマスツリーであり、積層構造であり、分解して収納することが出来るが、分解して大きさの順に収納するため、収納時間がかかり、かつ収納するためのケースも必然と大きくなるという問題点があった。
本考案は、上述した事情に鑑み、収納が容易な装飾装置を提供することを目的とする。
【課題を解決するための手段】
【０００６】
本考案の考案者は、上述した問題点に関して鋭意研究を続けた結果、以下のような画期的な装飾装置を見出した。
【０００７】
上記課題を解決するための本発明の第１の態様は、支持部と、支持部に固定される係合部と、支持部に支持される装飾本体と、を備え、装飾本体は、複数の装飾部を有し、装飾部は、装飾部を構成する装飾部品を取り付ける保持部に保持され、少なくとも一つの保持部は、一端が支持部に固定される連結部と連結され、装飾本体は、上面視において半円状を呈する飾り部を有し、装飾本体を飾り付けする場合は、連結部が伸びて各装飾部が連続的に繋がるように配置され、収納する場合は、各装飾部が重なるように配置され、連結部が収まる、ことを特徴とする装飾装置にある。
【０００８】
かかる第１の態様では、飾り付けをする場合は、係合部を壁等に係合することにより連結部が伸びて装飾部の自重により装飾本体が上下に拡がり容易に飾ることができ、また、収納する場合は、係合部を外すことにより、連結部が収納時の状態に戻り、容易に収納することができ、使用時と収納時の操作が極めて簡単であり、ユーザへの利用性が向上する。したがって、容易に展開して装飾することができると共に、容易にかつコンパクトに収納することができる装飾装置を提供することができる。
【０００９】
本発明に係る第２の態様は、装飾本体は、飾り部と対向した位置にあり平坦状を呈する非飾り部をさらに有することを特徴とする第１の態様に記載の装飾装置にある。
かかる第２の態様では、壁やドア等に容易に装飾装置を係合させることができるまた、装飾装置を壁やドア等に接触またはより近接させることができる。
【００１０】
本発明の第３の態様は、連結部は、飾り付けの場合、各保持部を支えるように連結する少なくとも紐であることを特徴とする第１または第２の態様に記載の装飾装置にある。
【００１１】
かかる第３の態様では、飾り付けをする場合、容易に保持部の自重により装飾本体が拡がり、収納する場合、連結部がコンパクトに収まるので、良好な収納状態を実現できる。
【００１２】
本発明の第４の態様は、保持部の外径が、支持部から離れるに従って大きくなることを特徴とする第１〜第３の態様の何れか１つに記載の装飾装置にある。
【００１３】
かかる第４の態様では、上下の保持部をコンパクトに収めることができる。
【００１４】
本発明の第５の態様は、保持部の外径は、支持部からより離れて隣接する保持部の内径よりも小さいことを特徴とする第４の態様に記載の装飾装置にある。
【００１５】
かかる第５の態様では、上下の保持部をコンパクトに収めることができる。
【００１６】
本発明の第６の態様は、装飾部の外径は、支持部から離れるに従って大きくなることを特徴とする第４の態様に記載の装飾装置にある。
【００１７】
かかる第６の態様では、装飾装置の収納状態をよりコンパクト化することができる。
【００１８】
本発明の第７の態様は、装飾部は、変形自在であることを特徴とする第１〜６の態様の何れか１つに記載の装飾装置にある。
【００１９】
かかる第７の態様では、装飾装置の収納状態をよりコンパクト化することができる。
【００２０】
本発明の第８の態様は、クリスマスツリーであることを特徴とする第１〜７の態様の何れか１つに記載の装飾装置にある。
【００２１】
かかる第８の態様では、クリスマス時期に合わせて容易に壁、ドアなどの平坦状の箇所に飾ることができ、また、時期が完了した後、容易にコンパクトに収納できる。
【図面の簡単な説明】
【００２２】
【図１】実施形態１に係る装飾装置を示す概略正面図である。
【図２】図１の装飾装置を示し、（ａ）は概略断面図、（ｂ）は概略透視斜視図、（ｃ）は収納状態の概略透視斜視図である。
【図３】実施形態２に係る装飾装置示し、（ａ）は概略断面図、（ｂ）は収納状態の概略断面図である。
【図４】実施形態３に係る装飾装置を示し、（ａ）は概略透視斜視図、（ｂ）は収納状態の概略透視斜視図である。
【図５】実施形態４に係る装飾装置を示し、（ａ）は概略透視斜視図、（ｂ）は収納状態の概略透視斜視図である。
【考案を実施するための形態】
【００２３】
以下に添付図面を参照して、本考案に係る装飾装置の実施形態を説明する。なお、本考案は、以下の実施形態に限定されるものではない。
（実施形態１）
【００２４】
図１は本実施形態に係る装飾装置の概略正面図であり、図２は本実施形態に係る概略断面図および概略透視斜視図である。なお、図２（ｂ）および（ｃ）において、保持部２０および連結部３０の位置関係を分かりやすくするために装飾本体１０を省略してある。
【００２５】
図１および図２に示すように、装飾装置１は、クリスマスツリーなどに用いられ、支持部２と、支持部２に一体的に固定される係合部３と、支持部２に支持される装飾本体１０とを備えている。装飾本体１０は、図１に示すように、複数の装飾部１１ａ〜１１ｄを有しており、各装飾部１１ａ〜１１ｄは、図２に示すように、各保持部２０ａ〜２０ｄによりそれぞれ保持され、保持部２０ａ〜２０ｄは連結部３０にそれぞれ連結されている。
【００２６】
支持部２は、装飾本体１０の頂部近傍に配置され、装飾本体１０を支持するため、装飾装置１の装飾位置を決めることができ、装飾装置１を飾り付ける場合、使用者が支持部２を持ち上げることにより、容易に飾り付けをすることができる。
【００２７】
支持部２に固定されている係合部３は、装飾装置１を壁やドアなどに取り付けるための係合部品であり、例えば、円筒形状、四角形状、三角形状、Ｕ時形状などのフックや吊り下げ金具等である。
【００２８】
装飾本体１０は、複数の装飾部１１ａ〜１１ｄを有し、各装飾部１１ａ〜１１ｄは、例えばもみの木等を形取った人工の枝である装飾部品を保持部２０ａ〜２０ｄに取り付けた装飾部分である。また、装飾本体１０は、上面視において、半円状を呈する装飾部品が飾られた飾り部１２と、飾り部１２と対向した位置（壁やドア側）にあり平坦状を呈し装飾部品が飾られていない非飾り部１３とを有している。
【００２９】
本実施形態の装飾装置１は、壁やドア等のある程度平坦な部分に飾り付けることを可能としたもので、非飾り部１３を室内外の平坦的な場所に接触または近接させることができる。なお、装飾部品は、人工の枝に限らず、デコレーション可能な物であれば特に限定されず、例えばぬいぐるみやクリスマス電球等も含まれる。
【００３０】
ここで、「半円状を呈する」とは、装飾装置１を上方からみて、壁やドアから突出するように広がった形状（例えば壁やドアの表面に対して約１８０度の範囲）を意味し、楕円状、矩形状、三角形状などを含む概念である。また、「平坦状を呈する」とは、装飾装置１を上からみて、飾り部１２が占める範囲（例えば約１８０度）を除いた残りの範囲（例えば約１８０度）において、平坦状に形成されている形状（平坦でなくてもよい）を指す。
【００３１】
このように保持部２０ａ〜２０ｄが平坦状を呈する形状を有することにより、壁やドア等に容易に装飾装置１を取り付けることができる。
【００３２】
なお、保持部２０ａ〜２０ｄの半円状を呈する形状の範囲は特に限定されず、例えば、壁やドアの表面に対して２００度〜１２０度の範囲でも、１８０度〜１４５度の範囲でもよい。保持部２０ａ〜２０ｄの平坦状を呈する形状の範囲も同様である。
【００３３】
各装飾部１１ａ〜１１ｄは、それぞれ独立して形成されており、飾り付ける場合は、装飾装置１の頂部から底部に向かって連続的に繋がるように配置され、収納する場合は、各装飾部１１ａ〜１１ｄが重なるように収納される。また、装飾部１１ａ〜１１ｄは、頂部から底部に向かって、すなわち、支持部２から離れるに従って外径および内径が大きくなるように形成されている。したがって、収納時の各装飾部１１ａ〜１１ｄの重なりによる厚みを軽減することができるようになっている。なお、装飾部１１ａ〜１１ｄは、収納する場合、収納形状のよりコンパクト化を図るために、部分的に分離や変形する変形自在であることが望ましい。
【００３４】
保持部２０ａ〜２０ｄは、金属または樹脂からなり、棒状、半円形状、矩形状などであり、装飾部１１ａ〜１１ｄの装飾部品を支えることができるようになっている。保持部２０ａ〜２０ｄは、各装飾部１１と同様に、半円状を呈する部分と平坦状を呈する部分を有し、中央部分が空洞である。また、保持部２０ａ〜２０ｄは、支持部２から離れるに従って外径および内径が大きくなるように形成されている。したがって、収納時には、内径が大きな保持部の内部にそれよりも小さな外形の保持部をそれぞれ収容することができるようになっている。
【００３５】
連結部３０は、装飾装置１を飾り付ける場合、自重により支持部２から下方に下がる各装飾部１１ａ〜１１ｄを所定の位置に止めるための結合部材であり、繊維、和紙、樹脂、金属などから形成され、その形状は特に限定されず、例えば紐状、シート状、板状であってもよい。そして、少なくとも一つの連結部３０は、一方が支持部２に固定され、他方が保持部２０ａ〜２０ｄにそれぞれ連結されている。ここで、連結部３０は、各保持部２０ａ〜２０ｄ間にそれぞれ配置されていてもよい。装飾本体１０を飾り付ける場合、連結部３０は延びて装飾部１１ａ〜１１ｄを支え、収納する場合は、連結部３０は所定の形状に纏まるように収まり、かつ絡まることが無い。なお、連結部３０は、装飾部品の一つであるクリスマス電球などに使用されるコードであってもよい。
【００３６】
次に、装飾装置１を飾り付けする場合と収納する場合について詳述する。
【００３７】
本実施形態に係る装飾装置１では、上述したように、支持部２と各保持部２０ａ〜２０ｄ間に連結部３０がそれぞれ配置されている。支持部２に近接した第１保持部２０ａは、支持部２に固定された連結部３０に連結され、第１保持部２０ａの真下に位置する第２保持部２０ｂは、第１保持部２０ａと第２保持部２０ｂとの間に配置される連結部３０により連結されている。そして、同様にして、保持部２０ｂと保持部２０ｃとの間および保持部２０ｃと保持部２０ｄとの間に連結部３０がそれぞれ配置されている。
【００３８】
連結部３０は、紐であり飾り付けする場合、紐が張る状態で各保持部２０ａ〜２０ｄが水平に位置するように、各保持部２０ａ〜２０ｄを吊り下げている。したがって、支持部２に固定されている係合部３を壁などに係合することにより、各保持部２０ａ〜２０ｄの自重によりそれぞれの保持部２０ａ〜２０ｄが所定の位置で水平に配置され、最終的にクリスマスツリー状になる。すなわち、装飾装置１は、従来の装飾装置と比較して、容易に飾り付けできるようになっている。
【００３９】
また、保持部２０ａ〜２０ｄは、支持部２から離れるに従って外径および内径が大きくなっている。したがって、装飾装置１を収納する場合、連結部３０は容易に折りたたまれ、かつ各保持部２０ａ〜２０ｄの外径および内径の相違によって、各保持部２０ａ〜２０ｄが扁平状にまとまり、収納状態がコンパクトになる（図２（ｃ）参照）。
【００４０】
ここで、連結部３０は紐（線状）であるとして装飾装置１を説明したが、連結部３０は可塑性の帯状でもよく、容易に折りたたむことが可能であればその形状は特に限定されない。
【００４１】
このように装飾装置を構成することにより、容易に展開して装飾することができると共に、容易にかつコンパクトに収納することができる。
（実施形態２）
【００４２】
実施形態１では、紐状の連結部を用いて装飾装置を構成したが、本発明はこれに限定されない。図３は、本実施形態に係る装飾装置の断面概略図である。この図に示すように、本実施形態に係る装飾装置１Ａは、飾り付けした状態（展開した状態）において、保持部２０ａ〜２０ｃは、水平方向に配置される第１保持部２１ａ〜２１ｃと、第１保持部２１ａ〜２１ｂにそれぞれ連結され傾斜して配置される第２保持部２２ａ〜２２ｃとを備えている。
【００４３】
また、第１保持部２１ａ〜２１ｃと第２保持部２２ａ〜２２ｃとは蝶番などの締結部２３ａ〜２３ｃを介して結合され、第２保持部２２ａ〜２２ｃは第１保持部２１ａ〜２１ｃに対して屈曲自在にそれぞれ取り付けられている。装飾本体１０の頂部近傍に配置される保持部２０ａは、第２保持部２２ａの先端が支持部２に固定され、その他の保持部２０ｂ、２０ｃは、一端が支持部２に固定される連結部３０ｂ、３０ｃにそれぞれ連結されている。
【００４４】
収納する場合は、壁等に係合している係合部３を外し、装飾本体１０の底部に配置された装飾部１１ｃを床等に置き、各装飾部１１ａ〜１１ｃの自重を利用して支持部２を床面などに近づけることにより、各装飾部１１ａ〜１１ｃが重なるので、コンパクトな収納可能な状態になる（図３（ｂ）参照）。第１実施形態では、第２保持部２２ａ〜２２ｃが締結部２３ａ〜２２ｃを中心として第１保持部２１ａ〜２１ｃに重なるように屈曲する。同時に、連結部３０ｂ、３０ｃが、伸びた状態から折りたたまれるように重なって収まる。その結果、装飾装置１Ａは、容易に収納可能な状態になる。
【００４５】
このように装飾装置を構成しても、実施形態１と同様に、容易に展開して装飾することができると共に、容易にかつコンパクトに収納することができる。
（実施形態３）
【００４６】
図４は、本実施形態に係る装飾装置の概略透視斜視図である。なお、図４（ａ）において、装飾本体１０は破線で示してあり、図４（ｂ）において、保持部２０の収納状態を分かりやすくするために装飾本体１０および連結部３０ａ〜３０ｃを省略してある。
【００４７】
これらの図に示すように、装飾装置１Ｂは、各保持部２０ａ〜２０ｄの間に連結部３０ａ〜３０ｃがそれぞれ配置されている。飾り付けをする場合、各連結部３０ａ〜３０ｃは伸びて各保持部２０ａ〜２０ｄを支え、収納する場合、連結部３０ａ〜３０ｃは縮んで（折り畳まれて）各保持部２０ａ〜２０ｄが重なる状態となる。
【００４８】
保持部２０ａ〜２０ｄの外径は、実施形態１のものと同様に、支持部２から離れるに従って外径および内径が大きくなる。すなわち、支持部２に一番近い保持部２０ａの外径は、装飾装置１を飾り付けされた場合、保持部２０ａの真下に配置され保持部２０ａに隣接する保持部２０ｂの内径よりも小さい。したがって、保持部２０ｂの内径よりも保持部２０ａの外径が小さいと、収納する場合、よりコンパクト化が可能となる。その他の保持部の関係も同様となっている。
【００４９】
このように装飾装置を構成しても、実施形態１と同様に、容易に展開して装飾することができると共に、容易にかつコンパクトに収納することができる。
（実施形態４）
【００５０】
上述した実施形態では、連結部と保持部とが別体で構成されていたが、本発明はこれに限定されない。図５は、本実施形態に係る装飾装置の概略透視斜視図である。なお、この図において、装飾本体１０は破線で示してあり、図５（ｂ）において、保持部２０ａ〜２０ｄおよび連結部３０ａ〜３０ｃの収納状態を分かりやすくするために装飾本体１０を省略してある。
【００５１】
これらの図に示すように、連結部３０ａ〜３０ｃが螺旋形状であり連結部３０ａ〜３０ｃの一部が保持部２０ａ〜２０ｄの役目をしている。すなわち、装飾装置１Ｃは、保持部２０ａ〜２０ｄと連結部３０ａ〜３０ｃとが一体化した構造となっている。
【００５２】
装飾装置１Ｃでは、飾り付けをする場合、連結部３０ａ〜３０ｃが伸び、収納する場合、連結部３０ａ〜３０ｃが折りたたまれたように収まり、各保持部２０ａ〜２０ｄが重なる状態となる。本実施形態の装飾装置１Ｃは、支持部２と、支持部２に固定される係合部３（図示しない）と、支持部２に支持される装飾本体１０と、を備え、装飾本体１０は、複数の装飾部１１を有し、装飾部１１は、装飾部１１を構成する装飾部品を取り付ける保持部２０に保持され、少なくとも一つの保持部２０は、一端が支持部２に固定される連結部３０と連結され、装飾本体１０は、上面視において半円状を呈する飾り部１２と、飾り部１２と対向した位置にあり平坦状を呈する非飾り部１３とを有し、装飾本体１０を飾り付けする場合は、連結部３０が伸びて各装飾部１１が連続的に繋がるように配置され、収納する場合は、各装飾部１１が重なるように配置され、連結部３０が収まる。
【００５３】
これにより、飾り付けをする場合は、係合部３を平坦な壁等に係合することにより連結部３０ａ〜３０ｃが伸びて装飾部の自重により装飾本体１０が上下に拡がり容易に飾ることができ、また、収納する場合は、係合部３を外すことにより、連結部３０ａ〜３０ｃが収納時の状態に戻り、容易に収納することができ、使用時と収納時の操作が極めて簡単であり、ユーザへの利便性が向上する。
（他の実施形態）
【００５４】
実施形態１に係る装飾装置の連結部は、飾り付けの場合、各保持部を支えるように連結する紐等の紐状部材である。これにより、飾り付けをする場合、容易に保持部の自重により装飾本体が拡がり、収納する場合、連結部３０がコンパクトに収まり、良好な収納状態を実現できる。
【００５５】
また、実施形態１に係る装飾装置の保持部の外径は、支持部から離れるに従って大きくなる。これにより、上下の保持部をコンパクトに収めることができる。
【００５６】
さらに、実施形態１に係る装飾装置の保持部の外径は、支持部からより離れて隣接する保持部の内径よりも小さい。これにより、保持部について収まり厚みの薄い収納（収納時の高さが小さくなる）を実現することができる。
【００５７】
また、実施形態１に係る装飾装置の装飾部の外径は、支持部から離れるに従って大きくなる。これにより、装飾装置の収納状態をよりコンパクト化できる。
【００５８】
さらに、実施形態１に係る装飾装置の装飾部は、変形自在である。これにより、装飾装置の収納状態をよりコンパクト化することができる。
【００５９】
上述した実施形態では、支持部と係合部とは別体で構成されていたが、一体的に形成されていてもよい。
【００６０】
また、上述した実施形態では、保持部に非飾り部を設けたが、非飾り部を設けずに、すべて飾り部で構成してもよい。
【００６１】
なお、本考案は、上述した実施形態に限定されるものではなく、適宜、変形、改良、等が可能である。その他、上述した実施形態における各構成要素の材質、形状、寸法、数値、形態、数、配置箇所、等は本考案を達成できるものであれば任意であり、限定されない。
【産業上の利用可能性】
【００６２】
本考案の装飾装置は、容易に壁などに飾り付けることができコンパクトに収納できるクリスマスツリー等を望む分野に最適である。
【符号の説明】
【００６３】
１、１Ａ、１Ｂ、１Ｃ  装飾装置
２  支持部
３  係合部
１０  装飾本体
１１ａ、１１ｂ、１１ｃ、１１ｄ  装飾部
１２  飾り部
１３  非飾り部
２０ａ、２０ｂ、２０ｃ、２０ｄ  保持部
２１ａ、２１ｂ、２１ｃ  第１保持部
２２ａ、２２ｂ、２２ｃ  第２保持部
２３ａ、２３ｂ、２３ｃ  締結部
３０ａ、３０ｂ、３０ｃ  連結部
【図１】
0003221440.tif 000003
【図２】
0003221440.tif 000004
【図３】
0003221440.tif 000005
【図４】
0003221440.tif 000006
【図５】
0003221440.tif 000007